(57)【要約】      （修正有）【課題】流路形成部内を好適に冷却可能な金型およびその冷却機構を提供する。【解決手段】  金型１は、固定側金型１１に形成された固定型孔１１１２に嵌合され、当接した金属射出成形機６のノズル３の先端部から射出される溶湯が流入するスプル２１が形成されたスプルブッシュ１１２を備えており、スプルブッシュ１１２の外周部に切り欠き部１１２３が形成されており、固定型孔１１１２の壁面と切り欠き部１１２３とによって、冷却媒体が循環する冷却媒体用空間１１３が形成されている。【選択図】図１
2007050412.tif 000002
【特許請求の範囲】
【請求項１】
金属射出成形機のノズルの先端部から射出された溶湯の流路を形成する流路形成部を備えた金型において、
前記流路形成部の周辺部分に、冷却媒体が循環する冷却媒体用空間が形成されていることを特徴とする金型。
【請求項２】
前記流路形成部は、固定側金型に形成された固定型孔に嵌合され、当接した前記ノズルの先端部から射出される溶湯が流入する溶湯流入部を含む、請求項１に記載の金型。
【請求項３】
前記溶湯流入部は周方向に複数に分割されており、分割面の内側に配置されている前記溶湯流入部に形成された切り欠き部と、分割面の外側に配置されている前記溶湯流入部の内周面とによって、前記冷却媒体用空間が形成されている、請求項２に記載の金型。
【請求項４】
前記溶湯流入部は周方向に複数に分割されており、分割面の外側に配置されている前記溶湯流入部に形成された切り欠き部と、分割面の内側に配置されている前記溶湯流入部の外周面とによって、前記冷却媒体用空間が形成されている、請求項２に記載の金型。
【請求項５】
請求項１ないし４のいずれか１項に記載の金型の冷却媒体用空間に冷却媒体を供給し、前記冷却媒体用空間に供給された冷却媒体を還流させることで冷却媒体を循環させるとともに、冷却媒体の温度を調整する循環手段を有する冷却機構。
【請求項６】
前記循環手段が、前記冷却媒体用空間に供給された冷却媒体を吸引することで冷却媒体を循環させる温調機である、請求項５に記載の冷却機構。
【請求項７】
前記冷却媒体用空間と前記吸引式温調機とを連通させる冷却媒体供給路および冷却媒体排出路を有し、前記冷却媒体供給路および冷却媒体排出路のいずれか一方に、前記流路形成部に取り付けられた温度検出手段で検出された温度に基づいて冷却媒体の温度および流量を調整する調整手段を有する、請求項５または６に記載の冷却機構。
【請求項８】
前記調整手段は、弁と、前記弁を開閉する開閉手段とを有する、請求項７に記載の冷却機構。
【請求項９】
ノズルの先端部に生成されるコールドプラグ排出圧力を検出し、前記コールドプラグ排出圧力に基づいて冷却媒体の温度および流量を調整する制御手段を有する、請求項５または６に記載の冷却機構。
【請求項１０】
前記制御手段は、弁と、前記弁を開閉する開閉手段とを有する、請求項９に記載の冷却機構。
【発明の詳細な説明】
【技術分野】
【０００１】
本発明は金属材料を成形するための金属射出成形機の金型および冷却機構に関するものである。
【背景技術】
【０００２】
図５に従来の一般的な金型および金属射出成形機の一例の側断面図を示す。
【０００３】
金型２０１は、溶湯の流入口を持つ固定側金型２４１と製品突き出し機構２５１を持つ可動側金型２４２とから構成されている。図５は、この金型２０１に金属射出成形機２０６の図示しない加熱シリンダの先端に設けられたノズル２０３と接触している状態を示している。固定側金型２４１の溶湯流入口はスプルブッシュ２１２と呼ばれ、固定側金型２４１本体と別構成となっており、損傷した場合にも交換が可能となっている。
【０００４】
加熱シリンダ先端に取り付けられた、溶湯を射出するノズル２０３の先端部にはコールドプラグ２３１と呼ばれる固体栓が形成され、加熱シリンダ内の溶融金属の垂れや酸化を防止する。コールドプラグ２３１は、金型キャビティ２１９に溶湯を鋳込んだ後の冷却行程の際に、スプルブッシュ２１２に接触しているノズル２０３の先端部の溶湯の熱が奪われることによりノズル２０３の先端部の冷却が促進され、生成されるものである。
【０００５】
次に、図５に示す金型２０１および金属射出成形機２０６による成形品２０２を得るまでの一連の動作について説明する。
【０００６】
まず固定側金型２４１と可動側金型２４２が接触していない状態で、金型キャビティ２１９の表面に水溶性の離型剤を噴霧し、その後に固定側金型２４１と可動側金型２４２を接触させ金型２０１を閉じた状態とし、さらにノズル２０３を固定側金型２４１内のスプルブッシュ２１２に接触させ、金型キャビティ２１９をほぼ完全な密閉空間とする。その後、加熱シリンダ内の図示しないスクリュもしくはプランジャの前進行程により、ノズル２０３から溶湯が金型キャビティ２１９に流入する。この際にノズル２０３先端部に生成しているコールドプラグ２３１は金型１内のノズル２０３と向かい合う面に設置されたプラグキャッチャ２２２と呼ばれる凹形状の部位に捕獲されるので、コールドプラグ２３１が溶湯の流動を妨げることはない。その後、金型キャビティ２１９に流入した溶湯は金型２０１に熱を奪われ冷却・固化し、成形品２０２が得られる。
【０００７】
しかしながら、水溶性離型剤の使用は、固定側金型２４１と可動側金型２４２の接触面への水溶性離型剤の堆積によるバリの発生や、発生するミストによる作業環境の悪化を招く場合がある。そこで、金型２０１を閉じた状態で離型剤を金型キャビティ２１９に圧入もしくは吸引により供給する型閉離型剤噴霧機構が、例えば引用文献１等に開示されている。
【０００８】
図６に、型閉離型剤噴霧機構を有する一般的な金型、および金属射出成形機の側断面図を示す。なお、図６に示す金型は、型閉離型剤噴霧機構以外は図５の金型は同様の構成である。
【０００９】
金型キャビティ３１９から固定側金型３１１外壁面に対して２本の貫通孔が離型剤供給路３１６および離型剤排出路３１７として設けられている。離型剤供給路３１６および離型剤排出路３１７は、その途中に図示しないシャットオフ機構を備えてもよい。また、離型剤供給路３１６および離型剤排出路３１７は可動側金型３４２に設けられてもよい。
【００１０】
次に、図６に示す、型閉離型剤噴霧機構を有する金型３０１、および金属射出成形機３０６による成形品を得るまでの一連の動作を説明する。
【００１１】
まず固定側金型３１１と可動側金型３４２を接触させ、金型３０１を閉じた状態とし、ノズル３０３を固定側金型３１１内のスプルブッシュ３１２に接触させ、金型キャビティをほぼ完全な密閉空間とした後に、離型剤供給路３１６から離型剤を金型キャビティ３１９に供給する。離型剤は金型キャビティ３１９を通過してその表面に付着する。金型キャビティ３１９の表面に付着しない余分な離型剤は離型剤排出路３１７から排出され、図示しない離型剤回収装置により回収される。その後、加熱シリンダ内の図示しないスクリュもしくはプランジャの前進行程により、ノズル３０３から溶湯が金型キャビティ３１９に流入する。その後、金型キャビティ３１９に流入した溶湯は金型３０１に熱を奪われ冷却・固化し、成形品が得られる。
【特許文献１】特開昭６２−１２７１５０号公報
【発明の開示】
【発明が解決しようとする課題】
【００１２】
図５に示すような金属射出成形機２０６により得られる成形品２０２においては、スプル２２１と呼ばれる溶湯の流入口近傍は厚肉であることが多い。すなわち、スプル２２１は、ランナ２３２やゲート２２３に比べて容量が大きく、その内部に存在する溶湯の量が多くなるため、スプル２２１の形状を構成するスプルブッシュ２１２が高温になりやすい。このため、スプルブッシュ２１２に接触するノズル２０３の先端部の溶湯の熱をスプルブッシュ２１２が奪えず、コールドプラグ２３１を完全に固体の状態で生成することができない。この状態で成形を継続すると、ノズル２０３の先端から溶湯が燃焼しながら隆起し、隆起した溶湯がノズル２０３とスプルブッシュ２１２にはさまれ、連続運転が中断されてしまう場合がある。またスプル２２１やランナ２３２などの部位の温度が高いまま保持されると、成形品２０２の金型キャビティ２１９の表面への焼き付きの発生や、成形品２０２の冷却効果が下がることによる成形品２０２の離型時の割れもしくは変形が発生する場合がある。
【００１３】
そのため、スプルブッシュ２１２などの少なくとも周囲より高温の部位には水溶性離型剤を多めに噴霧することなどにより、積極的に冷却を行なう必要がある。しかしながら、過剰な水溶性離型剤の噴霧は、前述のように固定側金型２４１と可動側金型２４２の接触面への水溶性離型剤の堆積によるバリの発生や、発生するミストによる作業環境の悪化を助長し、結果的には製品コストの増加を招くことになる。
【００１４】
一方、図６に示すような型閉離型剤噴霧機構で使用される離型剤は、粉体状もしくは油を主成分とするものが多く、金型キャビティ３１９の表面を冷却する能力は低いことが多い。したがって、離型剤による冷却効果はほとんど得ることができず、成形品３０２の金型キャビティ３１９の表面への焼き付きの発生や、成形品３０２の冷却効果が下がることによる成形品３０２の離型時の割れもしくは変形などの不具合がより発生し易い状態となることがある。さらに、コールドプラグ３３１が固液共存の状態のまま、金型キャビティ３１９に離型剤を圧入もしくは吸引すると、ノズル３０３を介して加熱シリンダ内部に離型剤が流入し、加熱シリンダ内部で行なわれる計量行程に不具合を生じ、ショートショットと呼ばれる充填不良の原因となる場合がある。
【００１５】
本発明は、上記課題に鑑みてなされたものであり、スプル内を好適に冷却可能な金型およびその冷却機構を提供することを目的とする。
【課題を解決するための手段】
【００１６】
上記目的を達成するため本発明の金型は、金属射出成形機のノズルの先端部から射出された溶湯の流路を形成する流路形成部を備えた金型において、流路形成部の周辺部分に、冷却媒体が循環する冷却媒体用空間が形成されていることを特徴とする。
【００１７】
上記の通りの本発明の金型は、流路形成部の周辺部分に冷却媒体用空間が形成されているので、この冷却媒体用空間内に冷却媒体を供給することにより流路形成部を冷却することができ、これにより流路形成部内を冷却することができる。
【００１８】
また、本発明の金型は、流路形成部が、固定側金型に形成された固定型孔に嵌合され、当接したノズルの先端部から射出される溶湯が流入する溶湯流入部を含むものであってもよい。ノズルと流路形成部とは成形品が冷却される間は接触した状態を保つ。したがって、適度に冷却された流路形成部がノズルの先端部の熱を奪うことにより、ノズルの先端部に位置する溶湯の凝固が一層促進され、より強固なコールドプラグが形成される。強固なコールドプラグは、型閉離型剤噴霧機構を有する金型においては次サイクル時の離型剤供給時に離型剤がノズルを介して加熱シリンダ内部に流入し、計量工程の不具合によるショートショットと呼ばれる充填不良の発生を防止することができる。さらには、従来、コールドプラグを完全に固体の状態で生成することができないために、ノズルの先端から溶湯が燃焼しながら隆起し、隆起した溶湯がノズルと流路形成部にはさまれ、連続運転が中断される場合があったが、このような不具合も解消することができる。
【００１９】
また、本発明の金型は、溶湯流入部が周方向に複数に分割されており、分割面の内側に配置されている溶湯流入部に形成された切り欠き部と、分割面の外側に配置されている溶湯流入部の内周面とによって、冷却媒体用空間が形成されているものであってもよい。あるいはその逆に、溶湯流入部は周方向に複数に分割されており、分割面の外側に配置されている溶湯流入部に形成された切り欠き部と、分割面の内側に配置されている溶湯流入部の外周面とによって、冷却媒体用空間が形成されているものであってもよい。
【００２０】
本発明の金型の溶湯流入部は、分割面に冷却媒体用空間が形成されている。すなわち、本発明の溶湯流入部は冷却媒体が固定側金型に直接接触する構成でないため、固定側金型の意図しない温度低下を防止することができる。
【００２１】
本発明の冷却機構は、本発明の金型の冷却媒体用空間に冷却媒体を供給し、冷却媒体用空間に供給された冷却媒体を還流させることで冷却媒体を循環させるとともに、冷却媒体の温度を調整する循環手段を有する。
【００２２】
また、本発明の冷却機構は、循環手段が、冷却媒体用空間に供給された冷却媒体を吸引することで冷却媒体を循環させる温調機であってもよい。この場合、循環手段は、冷却媒体に正圧をかけて圧送循環させるのではなく、負圧によって吸引循環させるので金型と流路形成部のすき間から冷却媒体が漏れることはない。よって、一般的な圧送式温調機が使用できない冷却効率の良い水や油を冷却媒体として使用可能となり、冷却効率を高めることができる。
【００２３】
また、本発明の冷却機構は、冷却媒体用空間と吸引式温調機とを連通させる冷却媒体供給路および冷却媒体排出路を有し、冷却媒体供給路および冷却媒体排出路のいずれか一方に、流路形成部に取り付けられた温度検出手段で検出された温度に基づいて冷却媒体の温度および流量を調整する調整手段を有するものであってもよい。この場合、流路形成部の熱的状態を一定に保ち、成形品の離型時の挙動をより安定させることが可能である。また、流路形成部の温度を制御し、流路形成部の冷却を必要最低限とすることにより、必要以上の冷却によるエネルギーのロスを少なくし、さらにはコールドプラグの過冷却等を防止することができる。
【００２４】
また、本発明の冷却機構は、ノズルの先端部に生成されるコールドプラグ排出圧力を検出し、コールドプラグ排出圧力に基づいて冷却媒体の温度および流量を調整する調整手段を有するものであってもよい。この場合、流路形成部の温度を適正な状態に保持することにより、射出時のコールドプラグの状態およびコールドプラグ排出圧力を安定させることでコールドプラグ排出圧力のばらつきが小さくなり、射出挙動が安定することにより製品品質を安定させることが可能となる。
【００２５】
また、本発明の冷却機構の調整手段および制御手段は、弁と、弁を開閉する開閉手段とを有するものであってもよい。
【発明の効果】
【００２６】
本発明によれば、流路形成部を好適な温度に冷却することで、金型内のキャビティの表面への成形品の焼き付きや、成形品の離型時の割れもしくは変形などの不具合を効果的に防止することができる。また、固体化されたコールドプラグを生成することができるので計量行程に不具合を生じることなく、ショートショットの発生を防止することができる。その結果、安定して成形品を生産することができ、製造コストの削減が可能となる。
【発明を実施するための最良の形態】
【００２７】
以下に、本発明の実施の形態について図面を参照して説明する。
【００２８】
（第１の実施形態）
図１に本実施形態の金属射出成形機および型閉離型剤噴霧機構を有する金型の概略的な側断面図を示す。
【００２９】
［金属射出成形機］
金属射出成形機６は、外周部にヒータ（不図示）が設置され、内部に回転可能に収納されたスクリュ（不図示）を備えた加熱シリンダ（不図示）を有する。加熱シリンダの先端には、金型１内部まで挿入されるノズル３が取り付けられている。
【００３０】
［金型］
金型１は、ノズル３と接触し、溶湯の流入口を持つ固定側金型１１と、成形された製品を突き出す製品突き出し機構１２１を持つ可動側金型１２とを有し、固定側金型１１内には固定側製品入れ子１１１が装着され、可動側金型１２にも可動側製品入れ子１２３が装着されている。固定側金型１１に対して可動側金型１２が当接することで固定側製品入れ子１１１と可動側製品入れ子１２３とにより、製品を成形する金型キャビティ１１９が形成される。また、可動側金型１２には金型キャビティ１１９で成形された製品を突き出す突き出し機構１２１が設けられている。
【００３１】
固定側金型１１および固定側製品入れ子１１１によって固定型孔１１１２が形成されている。固定側金型１１には固定型孔１１１２が形成されており、この固定型孔１１１２にはスプル２１を形成するスプルブッシュ１１２が嵌め込まれている。金属射出成形機６のノズル３はこの固定型孔１１１２内に挿入され、ノズル３の先端がスプルブッシュ１１２に当接する。
【００３２】
［スプルブッシュ］
スプルブッシュ１１２は、円環形状をしており、外周面が固定型孔１１１２に実質的に隙間無く嵌合され、内周面側がスプル２１を形成している。スプルブッシュ１１２の外周面のうち、固定型孔１１１２の内壁面に対して接する一部が切り欠かれており、この切り欠き部１１２３が冷却媒体用空間１１３を形成している。スプルブッシュ１１２の内周側はテーパ形状に形成されている。
プラグキャッチャ１２２は、固定型孔１１１２に嵌め込まれたスプルブッシュ１１２の大径側からプラグキャッチャ１２２が挿入される。スプルブッシュ１１２の小径側のタッチ部１１２１にはノズル３の先端部分が当接する。プラグキャッチャ１２２は、可動側金型１２側に取り付けられており、その先端部分に形成された凹形状の部位によって、ノズル３から溶湯が金型キャビティ１１９に流入する際に同時にノズル３から射出されるコールドプラグ３１を捕獲するものである。ノズル３の先端部分に生成され、溶湯の射出とともに射出されるコールドプラグ３１はプラグキャッチャ１２２に捕獲されるので、溶湯の流動を妨げることはない。
【００３３】
スプルブッシュ１１２の内周面側に形成されたスプル２１は、ランナ２２およびゲート２３を介して金型キャビティ１１９へと連通している。
【００３４】
スプルブッシュ１１２は、上述したように固定型孔１１１２に嵌め込まれて使用されるものであり、固定側金型１１本体とは別構成となっているので損傷した場合にも交換が可能となっている。
【００３５】
なお、本実施形態では、冷却媒体用空間１１３は、固定型孔１１１２の内壁面とスプルブッシュ１１２の切り欠き部１１２３とによって形成されるものであるが、切り欠きが固定側孔１１１２の内壁面側に形成されてもよく、また、固定型孔１１１２は、固定側金型１１が固定側製品入れ子１１１を備えている場合は、固定側製品入れ子１１１に形成されるがこれに限定されるものではない。すなわち、固定型孔１１１２は、固定側金型１１および固定側製品入れ子１１１とによって形成されるものであってもよいし、あるいは固定側金型１１が固定側製品入れ子１１１を備えていない場合は、固定側金型１１のみによって形成されているものであってもよい。
【００３６】
［冷却機構］
固定側金型１１には冷却媒体用空間１１３と連通する２本の貫通孔が形成されており、それぞれ吸引式温調機４と接続されている。２本の貫通孔のうち、一方は、吸引式温調機４から冷却媒体用空間１１３へと冷却媒体を供給する冷却媒体供給路１１４であり、他方は、冷却媒体用空間１１３へと供給された冷却媒体を吸引式温調機４へと還流させる冷却媒体排出路１１５である。
【００３７】
吸引式温調機４は、冷却媒体排出路１１５を介して冷却媒体用空間１１３内の冷却媒体を吸引することで、冷却媒体用空間１１３、冷却媒体供給路１１４および冷却媒体排出路１１５、吸引式温調機４からなる冷却路内の冷却媒体を循環させる。また、吸引式温調機４は、冷却媒体の温度を調整する機構を備えており、冷却媒体の温度を所望の温度に調整することが可能である。
【００３８】
一般的な圧送式温調機を使用した際、冷却媒体に圧力をかけることで冷却媒体を循環させるため、Ｏリング等のシール材によるシーリングがなされていない固定側製品入れ子１１１とスプルブッシュ１１２のすき間から冷却媒体が漏れる場合がある。一方、本実施形態においては、冷却媒体は吸引式温調機４により冷却媒体を循環させる、すなわち、冷却媒体に正圧をかけて循環させるのではなく、負圧をかけて循環させるのでシーリングがなされていない固定側製品入れ子１１１とスプルブッシュ１１２のすき間から冷却媒体が漏れることはない。よって、一般的な圧送式温調機が使用できない冷却効率の良い水や油を冷却媒体として使用することが可能である。
【００３９】
本実施形態の冷却機構によれば、スプル２１から比較的大きな熱量を吸収するスプルブッシュ１１２は吸引式温調機４より送られてきた冷却媒体により適度に冷却され、さらには、ランナ２２内の溶湯も冷却されるので、成形品２の金型キャビティ１１９の表面への焼き付き発生を防止することができ、また、焼き付きに起因する成形品２の離型時の変形や割れも防止することができる。
【００４０】
また、ノズル３とスプルブッシュ１１２とは成形品２が冷却される間は接触した状態を保つので、適度に冷却されたスプルブッシュ１１２がノズル３の先端部の熱を奪うことにより、ノズル３の先端部に位置する溶湯の凝固が一層促進され、より強固なコールドプラグ３１が形成される。強固なコールドプラグ３１は、次サイクル時の離型剤供給時に離型剤がノズル３を介して加熱シリンダ内部に流入し、計量工程の不具合によるショートショットと呼ばれる充填不良の発生を防止する。また、強固なコールドプラグ３１が生成されないと、連続成形を行った場合、ノズル３の先端から溶湯が燃焼しながら隆起し、隆起した溶湯がノズル３とスプルブッシュ１１２にはさまれる連続運転が中断されてしまう場合があるが、本実施形態ではこのような事態を回避できるので安定した連続成形が可能となり、よって製造コストの削減が可能となる。
【００４１】
なお、本実施形態では、冷却媒体を循環させる装置として吸引式温調機を例に説明したが、本発明はこれに限定はされるものではなく圧送式温調機を用いるものであってもよい。
【００４２】
また、本実施形態では冷却媒体用空間１１３を形成するための切り欠き部１１２３は１本のみ形成されたスプルブッシュ１１２を例示して説明したが本発明はこれに限定されるものではなく、複数の切り欠き部が形成されているものであってもよい。また、切り欠き部１１２３が１本であったとしても、スプルブッシュ１１２の外周に螺旋状に形成されているものであってもよい。このような切り欠き部を形成することでスプルブッシュ１１２の冷却効率を上げることできるだけでなく、スプルブッシュ１１２を均等に冷却することが可能となる。
【００４３】
また、切り欠き部１１２３の流路断面積は一定であってもよいし、あるいは流路幅が流れ方向に向けて異なるものであってもよい。すなわち、スプルブッシュ１１２のうち、より高温となる領域は積極的に冷却するため流路断面積を大きくし、これとは逆に他の部分より比較的低温となる領域は適正な温度に保つため、流路断面積を小さくするようにしてもよい。
【００４４】
［離型剤供給機構］
固定側金型１１には、さらに、金型キャビティ１１９に連通する２本の貫通穴が形成されている。一方の貫通穴は離型剤供給路１１６であり、固定側金型１１のみならず固定側製品入れ子１１１を貫通するように形成されることで金型キャビティ１１９まで連通しており、離型剤はこの離型剤供給路１１６を介して外部から金型キャビティ１１９へと供給される。また、他方の貫通穴は離型剤排出路１１７であり、固定側金型１１のみならずスプルブッシュ１１２を貫通するように形成されることで金型キャビティ１１９まで連通しており、離型剤はこの離型剤排出路１１７を介して金型キャビティ１１９から外部へと排出される。なお、離型剤供給路１１６および離型剤排出路１１７は可動側金型１２に設けられているものであってもよい。また、離型剤供給路１１６および離型剤排出路１１７には途中に図示しないシャットオフ機構を備えてもよい。
【００４５】
（第２の実施形態）
図２に本実施形態の金属射出成形機および型閉離型剤噴霧機構を有する金型の概略的な側断面図を示す。
【００４６】
本実施形態のスプルブッシュ１１２は内側ブッシュ１１２１と外側ブッシュ１１２２とに周方向に２分割されており、内側ブッシュ１１２１の外周面に冷却媒体用空間１１３が形成されている。なお、これ以外の構成および基本的な効果は、第１の実施形態で説明したものと同様であるため、詳細の説明は省略する。また、図２における符号も、第１の実施形態と同じ部材については図１で示した符号と同じものを用いている。
【００４７】
本実施形態の場合、内側ブッシュ１１２１側に冷却媒体用空間１１３が形成され、その周りを外側ブッシュ１１２２が覆う構成としている。これにより、固定側製品入れ子１１１に冷却媒体が直接接触する構成でないため、固定側製品入れ子１１１、あるいは固定側金型１１の意図しない温度低下を防止できる。
【００４８】
なお、本実施形態のスプルブッシュ１１２は、周方向に２分割した例を示したが、分割数はこれに限定されるものではなく、各分割面に冷却媒体用空間１１３が形成される構成としてもよい。また、本実施形態のスプルブッシュ１１２は、内側ブッシュ１１２１の外周面に冷却媒体用空間１１３を形成するため、周方向に２分割した構成としたが、これに限定されるものではない。すなわち、本実施形態のスプルブッシュ１１２においては固定側製品入れ子１１１あるいは固定側金型１１に冷却媒体が直接接触する構成でなければ、いかなるものであってもよい。例えば、スプルブッシュ１１２が周方向に分割されているものではなく、スプルブッシュ１１２内部にジャケットが形成され、このジャケットが冷却媒体用空間１１３を形成する構成としてもよい。
【００４９】
（第３の実施形態）
図３に本実施形態の金属射出成形機および型閉離型剤噴霧機構を有する金型の概略的な側断面図を示す。なお、本実施形態においても、基本的な構成および効果は、第１の実施形態で説明したものと同様であるため、詳細の説明は省略する。また、図３における符号も、第１の実施形態と同じ部材については図１で示した符号と同じものを用いている。
【００５０】
本実施形態の場合、スプルブッシュ１１２には熱電対１１８が設置されており、熱電対１１８は温度調節器５に接続されている。温度調節器５は任意に設定された設定値と熱電対１１８より得られる現在値との偏差によりＯＮ−ＯＦＦ信号を出力する。
【００５１】
吸引式温調機４の冷却媒体供給路１１４に接続されるラインには、開閉機構を持つ電磁弁４１が取り付けられている。この電磁弁４１は、温度調節器５より出力されたＯＮ−ＯＦＦ信号により、電磁弁４１の開閉が行なわれる。つまり、スプルブッシュ１１２の温度が設定温度よりも高いときは、電磁弁４１を開いて冷却媒体用空間１１３へ冷却媒体を流入させ、スプルブッシュ１１２の温度が設定温度よりも低いときは、電磁弁４１を閉じて冷却媒体用空間１１３への冷却媒体の流入を遮断する。以上のような制御により、冷却媒体用空間１１３に流入する冷却媒体量を調整し、スプルブッシュ１１２の温度制御が可能となり、結果としてスプルブッシュ１１２の熱的状態を一定に保ち、成形品２の離型時の挙動をより安定させることが可能である。
【００５２】
また、スプルブッシュ１１２の温度を制御し、スプルブッシュ１１２の冷却を必要最低限とすることにより、必要以上の冷却によるエネルギーのロスを少なくし、さらにはコールドプラグ３１の過冷却等を防止することができる。
【００５３】
なお、本実施形態では電磁弁４１は冷却媒体供給路１１４の途中に設けられた構成を例に示したが、冷却媒体排出路１１５に設けられているものであってもよい。
【００５４】
（第４の実施形態）
図４に本実施形態の金属射出成形機および型閉離型剤噴霧機構を有する金型の概略的な側断面図を示す。なお、本実施形態においても、基本的な構成および効果は、第１の実施形態で説明したものと同様であるため、詳細の説明は省略する。また、図４における符号も、第１の実施形態と同じ部材については図１で示した符号と同じものを用いている。
【００５５】
本実施形態の冷却機構は、金属射出成形機６に設けられた不図示の圧力センサからの信号が入力される制御装置７を有し、制御装置７による計算結果に基づき、電磁弁４１の開閉制御を行う。
【００５６】
制御装置７には、予めコールドプラグ排出圧力の目標値が入力されており、目標値と圧力センサによる測定値との偏差により電磁弁４１の操作量を算出する。吸引式温調機４の冷却媒体供給路１１４に接続されるラインに設けられた電磁弁４１は、制御装置７より出力された操作量によりその開閉がなされ、コールドプラグ３１の排出圧力が目標値に到達するように、スプルブッシュ１１２の温度が制御される。すなわち、制御装置７は、コールドプラグ３１の排出圧力が目標値に達していない場合、コールドプラグ３１の固体化されていないことで圧力が抜けていると判断し、コールドプラグ３１の固体化を促進すべく、電磁弁４１を開いて冷却媒体を冷却媒体用空間１１３に供給してスプルブッシュ１１２を冷却する。前述のように成形品２の冷却中はノズル３とスプルブッシュ１１２は接触した状態を保つ。すなわち、スプルブッシュ１１２を冷却することでスプルブッシュ１１２に接触しているノズル３が冷却され、コールドプラグ３１の固体化が促進される。これとは逆に、コールドプラグ３１の排出圧力が目標値を上回る場合は、制御装置７は、コールドプラグ３１が過冷却されてしまっていると判断し、コールドプラグ３１の排出圧力が目標値に到達するまで、すなわち、ノズル３の温度が適正温度になるまで電磁弁４１を閉じる。
【００５７】
以上のように、本実施形態は、射出時のコールドプラグ３１の排出圧力を測定し、フィードバックをかけ、スプルブッシュ１１２の温度を適正な状態に保持することにより、射出時のコールドプラグ３１の状態およびコールドプラグ排出圧力を安定させることができる。その結果としてコールドプラグ排出圧力のばらつきが小さくなり、射出挙動が安定することにより製品品質を安定させることが可能となる。
【００５８】
本発明は型閉離型剤噴霧機構を有さない金属射出成形機６の金型１についても適用可能であるが、型閉離型剤噴霧機構を有する金属射出成形機６の金型１に対しては特に顕著な効果を得ることができる。また、本発明は亜鉛合金、アルミニウム合金、マグネシウム合金などのあらゆる金属材料に対して有効である。
【００５９】
なお、上述した各実施形態はどのように組み合わせて用いるものであってもよい。
【図面の簡単な説明】
【００６０】
【図１】本発明の第１の実施形態における金属射出成形機および型閉離型剤噴霧機構を有する金型の概略的な側断面図である。
【図２】本発明の第２の実施形態における金属射出成形機および型閉離型剤噴霧機構を有する金型の概略的な側断面図である。
【図３】本発明の第３の実施形態における金属射出成形機および型閉離型剤噴霧機構を有する金型の概略的な側断面図である。
【図４】本発明の第４の実施形態における金属射出成形機および型閉離型剤噴霧機構を有する金型の概略的な側断面図である。
【図５】従来の一般的な金属射出成形機および金型の概略的な側断面図である。
【図６】従来の一般的な型閉離型剤噴霧機構を有する金型、および金属射出成形機の概略的な側断面図である。
【符号の説明】
【００６１】
１    金型
１１    固定側金型
１１１    固定側製品入れ子
１１２    スプルブッシュ
１１２１    内側ブッシュ
１１２２    外側ブッシュ
１１２３    切り欠き部
１１３    冷却媒体用空間
１１４    冷却媒体供給路
１１５    冷却媒体排出路
１１６    離型剤供給路
１１７    離型剤排出路
１１８    熱電対
１１９    製品キャビティ
１２    可動側金型
１２１    製品突き出し機構
１２２    プラグキャッチャ
１２３    可動側製品入れ子
２    金型キャビティ、成形品
２１    スプル
２２    ランナ
２３    ゲート
３    ノズル
３１    コールドプラグ
４    吸引式温調機
４１    電磁弁
５    温度調節器
６    成形機
７    制御装置
【図１】
2007050412.tif 000003
【図２】
2007050412.tif 000004
【図３】
2007050412.tif 000005
【図４】
2007050412.tif 000006
【図５】
2007050412.tif 000007
【図６】
2007050412.tif 000008